(57)【要約】【課題】映像が入力されている間は、無操作状態が所定時間継続した場合においても、表示装置（テレビ受信装置）の電源オフ機能が動作する映像表示装置および映像表示装置に映像を入力する映像再生装置を提供する。【解決手段】この発明の１つの実施の形態である映像再生装置１１は、接続された相手方機器との間で双方向通信を行うＨＤＭＩ通信部６と、ユーザの操作に対応する操作情報を出力するユーザインタフェース７と、ユーザインタフェースが操作されたことを、ＨＤＭＩ−ＣＥＣコマンドにより、通信部を相手方機器に報知する制御部５と、を有する。【選択図】  図１
2010087823.tif 000002
【特許請求の範囲】
【請求項１】
接続された相手方機器との間で双方向通信を行う通信部と、
操作情報を出力するユーザ指示入力部と、
このユーザ指示入力部が操作されたことを、前記通信部を通じて、ＨＤＭＩ−ＣＥＣ（Consumer Electronics Control）コマンドにより報知し、かつ相手方機器の特定機能を実現するために用いる特定の情報をリセットする信号生成部と、
を有することを特徴とする映像再生装置。
【請求項２】
前記信号生成部が生成するＣＥＣコマンドは、相手方機器が所定時間無操作である場合を計測するタイマーをリセットあるいはオフすることを特徴とする請求項１記載の映像再生装置。
【請求項３】
接続された相手方機器からの入力映像を表示可能な映像出力部と、
接続された相手方機器からの入力音声を出力可能な音声出力部と、
接続された相手方機器との間で双方向通信を行う通信部と、
前記映像出力部に対する映像信号の出力および前記音声出力部に対する音声信号の出力を停止するための時間を計測する計測部と、
前記通信部より前記計測部をリセットするための信号を受け取り、計測部に命令を発行する制御部と、
を有する映像表示装置と、
接続された相手方機器との間で双方向通信を行う通信部と、
操作情報を出力するユーザ指示入力部と、
このユーザ指示入力部に操作入力があった場合に、前記通信部を通じ、前記映像表示装置の通信部に対して前記映像表示装置の前記計測部をリセットするための信号を生成する信号生成部と、
を有する映像再生装置と、
を含む映像再生システム。
【請求項４】
前記映像再生装置の信号生成部は、前記映像表示装置に対して一定期間毎に、前記映像表示装置の前記計測部をリセットするための信号を生成することを特徴とする請求項３記載の映像再生システム。
【請求項５】
前記映像再生装置の信号生成部は、前記映像表示装置に対して出力する映像再生信号が特定のパターンを有する場合、前記映像表示装置に対して一定期間毎に、前記映像表示装置の前記計測部をリセットするための信号を生成しないことを特徴とする請求項４記載の映像再生システム。
【請求項６】
前記映像再生装置の信号生成部は、前記映像表示装置に対して映像再生信号を出力している期間のみ、前記映像表示装置に対して一定期間毎に、前記映像表示装置の前記計測部をリセットするための信号を生成することを特徴とする請求項４および５記載の映像再生システム。
【請求項７】
前記映像再生装置の信号生成部は、前記映像表示装置に対して出力する映像再生信号を開始した場合、前記映像表示装置の前記計測部による計測を停止させるための信号を生成することを特徴とする請求項３記載の映像再生システム。
【請求項８】
前記映像再生装置の信号生成部は、前記映像表示装置に対して出力する映像再生信号が終了した場合、前記映像表示装置の前記計測部による計測を開始させるための信号を生成することを特徴とする請求項３記載の映像再生システム。
【請求項９】
接続された相手方機器との間で双方向通信を行う通信部と、
操作情報を出力するユーザ指示入力部と、
データを再生し、再生映像信号を出力するデータ再生部と、
このデータ再生部においてデータが再生されている間、前記通信部を通じて、ＨＤＭＩ−ＣＥＣ（Consumer Electronics Control）コマンドにより、相手方機器の特定機能を実現するために用いる特定の情報をリセットする信号生成部と、
を有することを特徴とする映像再生装置。
【発明の詳細な説明】
【技術分野】
【０００１】
この発明は、映像が入力されている間は、無操作状態が所定時間継続した場合においても映像表示装置の電源オフ機能が動作することを抑止できる映像再生装置および映像再生システムに関する。
【背景技術】
【０００２】
映像やオーディオを再生する映像表示装置、例えばテレビ受信装置においては、無操作状態が一定時間継続した場合に、表示部の電源または装置全体の電源をオフするものが、既に実用化されている。
【０００３】
反面、デジタルビデオレコーダやゲーム機器等である再生装置から映像やオーディオが継続して入力されている状態において映像表示装置の表示部の電源が一定時間でオフすることは、ユーザに不快感を与えることがある。特に、ゲーム機器によるプレイ中においては、ゲームの進行が中断する、あるいはステージクリアを積み重ねたにも拘わらず、電源がオフしたことにより、次のステージに到達できない、等の問題が生じることがある。
【０００４】
特許文献１には、所定時間の間、操作信号の入力がない場合、電源がオフする無操作オフタイマを備えたテレビ受信機に、操作状態を提供可能な映像表示装置および、付属するリモートコントロール装置が開示されている。
【特許文献１】特開２００７−２７９７３
【発明の開示】
【発明が解決しようとする課題】
【０００５】
しかしながら、特許文献１に開示された映像表示装置は、実際には、付属するリモートコントロール装置が操作された際にテレビ受信機に対してもテレビ用操作信号を出力することで、無操作状態を解除するものである。
【０００６】
この発明の目的は、映像が入力されている間は、無操作状態が所定時間継続した場合においても、映像表示装置の電源オフ機能が動作することを抑止できる映像再生装置および映像再生システムを提供することである。
【課題を解決するための手段】
【０００７】
この発明は、上記問題点に基づきなされたもので、接続された相手方機器との間で双方向通信を行う通信部と、操作情報を出力するユーザ指示入力部と、このユーザ指示入力部が操作されたことを、前記通信部を通じて、ＨＤＭＩ−ＣＥＣ（Consumer Electronics Control）コマンドにより報知し、かつ相手方機器の特定機能を実現するために用いる特定の情報をリセットする信号生成部と、を有することを特徴とする映像再生装置である。
【発明の効果】
【０００８】
この発明によれば、映像が入力されている間は、無操作状態が所定時間継続した場合においても、表示装置（テレビ受信装置）の電源オフ機能が動作することを抑止できる。
【０００９】
これにより、表示装置と接続された外部機器から映像を入力している場合、意図しないタイミングで表示装置の表示部がオフすることにより外部機器からの映像が途切れることがなくなる。
【発明を実施するための最良の形態】
【００１０】
以下、図面を参照して、本発明の実施の形態の一例について説明する。
【００１１】
図１は、この発明の実施の形態が適用される画像再生システム、すなわち映像を表示する映像表示装置（テレビ受信装置）と映像表示装置に映像を入力する映像再生装置（外部機器）の概略を示す。
【００１２】
図１において、映像表示装置、例えばテレビ受信装置１０１は、装置全体の制御を行う制御部１、外部機器１１との間で、ＨＤＭＩ（High-Definition Multimedia Interface）接続処理を行うＨＤＭＩ通信部２、無操作時電源オフの無操作時間をカウントするタイマ３、及び映像データを表示する映像出力４ａ、音声データを出力する音声出力４ｂを含む。なお、映像表示装置１０１は、例えばテレビ受信装置を含み、表示部（ディスプレイ）と音声出力部（スピーカ）が一体であるか否かにかかわりなく、入力された映像を表示可能であれば、任意の装置を用いることができる。また、制御部１は、通信部２より、計測部（タイマ）３をリセットするための信号を受け取り、計測部３に命令を発行する。
【００１３】
外部機器１１は、外部機器全体の制御を行う制御部５、表示装置とのＨＤＭＩ接続処理を行うＨＤＭＩ通信部６、及びユーザからの要求、例えば制御情報や任意の数値入力等を受け付けるユーザインタフェース７を含む。なお、ユーザインタフェース７は、例えば無線方式のリモコン装置（リモートコントロール端末）や、特定のケーブルにより接続されたコントローラ等であってもよい。また、外部機器１１としては、例えばデジタルビデオレコーダや、デジタルビデオカメラ装置あるいはビデオゲーム機器等が含まれる。
【００１４】
また、表示装置１０１のＨＤＭＩ通信部２と外部機器１１のＨＤＭＩ通信部６は、ＨＤＭＩ−ＣＥＣ（Consumer Electronics Control）に準拠した双方向インタフェースである。
【００１５】
図２は、図１に示した画像再生システムにおいて、映像が入力されている間は、無操作状態が所定時間継続した場合においても、表示装置側の電源オフ機能が動作することを抑止する方法の一例を示す。
【００１６】
図２に示すように、ユーザからユーザインタフェース７を通して、ＨＤＭＩ−ＣＥＣ対応の外部機器１１が操作される［１１］。
【００１７】
ユーザインタフェース７から操作情報を受け取った外部機器１１の制御部５がＨＤＭＩ通信部６に、表示機器への無操作時電源オフ用のタイマ３をクリアするクリアコマンドを発行の指示を行い、ＨＤＭＩ通信部６から表示装置１０１０のＨＤＭＩ通信部２へ無操作時電源オフ用タイマ３をクリアするためのＣＥＣコマンドを発行する［１２］。
【００１８】
ＣＥＣコマンドを受け取った表示装置１０１のＨＤＭＩ通信部２は、映像表示機器の制御部１に、無操作時電源オフタイマークリアコマンド情報を受け渡す［１３］。
【００１９】
コマンドを受け取った制御部１（表示装置１０１）は、タイマ３の値をクリアし、処理が完了する［１４］。
【００２０】
これにより、外部機器１１のユーザインタフェース７よりユーザによる外部機器の操作が行われた場合、ＨＤＭＩ−ＣＥＣコマンドを使用し、表示装置１０１の無操作時電源オフ用のタイマ３の値がクリアされる。
【００２１】
従って、外部機器１１使用時に、表示装置１０１において、無操作状態が続いていると判断され、表示装置の電源が不所望なタイミングでオフすることを防止できる。
【００２２】
図３は、図１に示した画像再生システムにおいて、映像表示装置に接続される映像再生装置が異なる場合の例を示す。
【００２３】
図３において、映像表示装置（テレビ受信装置）１０１は、図１に示した例と同様に、制御部１、ＨＤＭＩ通信部２、タイマ３、及び映像出力４ａ，音声出力４ｂを含む。
【００２４】
外部機器２１は、図１に示した例に準じた制御部５、ＨＤＭＩ通信部６、ユーザインタフェース７、及び映像や音声の再生を行うためのデータ再生装置８と、定期的にコマンドを送信するためのタイマ９を含む。なお、図３に示すシステムにおいては、外部機器２１において、データ再生装置８の内容を再生している間は、外部機器２１から定期的に、表示装置１０１の無操作時電源オフタイマークリア「ＨＤＭＩ  ＣＥＣコマンド」を発行することを特徴とする。
【００２５】
図４は、図３に示した画像再生システムにおいて、映像が入力されている間は、無操作状態が所定時間継続した場合においても、表示装置側の電源オフ機能が動作することを抑止する方法の一例を示す。
【００２６】
図４に示すように、ユーザからユーザインタフェース７を通して、ＨＤＭＩ−ＣＥＣ対応の外部機器２１に再生指示が入力される［２１］。
【００２７】
ユーザインタフェース７から再生情報（再生指示）を受け取った外部機器２１の制御部５がデータ再生装置８に格納されているデータの再生を開始する［２２］。
【００２８】
ＨＤＭＩ通信部６を通して、映像データと音声データを送信し、あわせて無操作時電源オフタイマーをクリアするためのＣＥＣコマンドを発行する［２３］。
【００２９】
外部機器２１は、表示装置１０１にＣＥＣコマンドを送信後、タイマ９の値をクリアする［２４］。
【００３０】
ＣＥＣコマンドを受け取った表示装置１０１のＨＤＭＩ通信部２は、表示装置の制御部１に、無操作時電源オフタイマークリアコマンド情報を受け渡す［２５］。
【００３１】
コマンドを受け取った制御部１（表示装置１０１）は、タイマ３の値をクリアする［２６］。
【００３２】
以下、表示装置１０１の制御部１は、外部機器２１が再生状態であるかどうかをチェックし［２７］、再生が終了している場合［２７−ＹＥＳ］には、処理を完了し、再生中の場合［２７−ＮＯ］には、引き続くの処理（［２７］）へ移行する。
【００３３】
すなわち、外部機器２１が再生中である場合［２７−ＮＯ］には、タイマ９の値が設定された再送するまでの時間となるまで待機［２８−ＮＯ］し、設定時間を超えた場合［２８−ＹＥＳ］には、無操作時電源オフタイマークリアコマンドを再度発行するため、処理［２３］へ移行する。
【００３４】
なお、処理［２３］〜処理［２７］は、外部機器２１における再生が完了するまで繰り返えされる。
【００３５】
図５は、図３に示した画像再生システムにおいて、映像が入力されている間は、無操作状態が所定時間継続した場合においても、表示装置側の電源オフ機能が動作することを抑止する方法の別の一例を示す。
【００３６】
図５に示すように、ユーザからユーザインタフェース７を通して、ＨＤＭＩ−ＣＥＣ対応の外部機器２１に再生指示が入力される［３１］。
【００３７】
ユーザインタフェース７から再生情報（再生指示）を受け取った外部機器２１の制御部５がデータ再生装置８に格納されているデータの再生を開始する［３２］。
【００３８】
ＨＤＭＩ通信部６を通して、映像データと音声データを送信し、あわせて無操作時電源オフタイマーをクリアするためのＣＥＣコマンドを発行する［３３］。
【００３９】
外部機器２１は、表示装置１０１にＣＥＣコマンドを送信後、タイマ９の値をクリアする［３４］。
【００４０】
ＣＥＣコマンドを受け取った表示装置１０１のＨＤＭＩ通信部２は、表示装置の制御部１に、無操作時電源オフタイマークリアコマンド情報を受け渡す［３５］。
【００４１】
コマンドを受け取った制御部１（表示装置１０１）は、タイマ３の値をクリアする［３６］。
【００４２】
以下、表示装置１０１の制御部１は、外部機器２１が再生状態であるかどうか、再生されている場合には、メニュー表示あるいはリピート再生状態であるかどうかをチェックし［３７］、再生が終了している場合、あるいは再生中ではあるがメニュー表示あるいはリピート再生状態である場合［３７−ＮＯ］には、処理を完了し、メニュー表示あるいはリピート再生状態以外の再生中の場合［３７−ＹＥＳ］には、タイマ９の値が設定された再送するまでの時間となるまで待機［３８−ＮＯ］し、設定時間を超えた場合［３８−ＹＥＳ］には、無操作時電源オフタイマークリアコマンドを再度発行するため、処理［３３］へ移行する。
【００４３】
なお、処理［３３］〜処理［３７］は、外部機器２１における再生が完了するまで繰り返えされる。
【００４４】
この方法によれば、外部機器２１から表示装置１０１に映像が入力されている状態において、表示装置１０１の表示部の電源をオフしても差しつかえない状況、例えば既に外部機器２１におけるコンテンツまたは再生データの本編の再生が終了し、メニュー表示の映像が引き続いて再生されているような場合に、表示装置１０１の電源オフ機能の本来の役割を実行可能となる。
【００４５】
なお、外部機器２１から表示装置１０１へ入力されている映像が「メニュー表示」または「リピート再生」であることは、例えば外部機器２１からの映像に付属しているタイムスタンプ（Time Stamp）や、リピート信号（同じヘッダー情報等が繰り返し現れる）により特定可能である。
【００４６】
図６は、図３に示した画像再生システムにおいて、映像が入力されている間は、無操作状態が所定時間継続した場合においても、表示装置側の電源オフ機能が動作することを抑止する方法のさらに別の一例を示す。
【００４７】
図６に示すように、ユーザからユーザインタフェース７を通して、ＨＤＭＩ−ＣＥＣ対応の外部機器２１に再生指示が入力される［４１］。
【００４８】
ユーザインタフェース７から再生情報（再生指示）を受け取った外部機器２１の制御部５がデータ再生装置８に格納されているデータの再生を開始する［４２］。
【００４９】
ＨＤＭＩ通信部６を通して、映像データと音声データを送信し、あわせて無操作時電源オフタイマーをクリアするためのＣＥＣコマンドを発行する［４３］。
【００５０】
ＣＥＣコマンドを受け取った表示装置１０１のＨＤＭＩ通信部２は、表示装置の制御部１に、無操作時電源オフタイマークリアコマンド情報を受け渡す［４４］。
【００５１】
コマンドを受け取った制御部１（表示装置１０１）は、タイマ３の値をクリアする［４５］。
【００５２】
以下、表示装置１０１の制御部１は、外部機器２１が再生状態であるかどうかをチェックし［４６］、再生が終了している場合［４６−ＹＥＳ］には、外部機器２１の制御部５は、ＨＤＭＩ通信部６を通して、表示装置１０１の無操作時電源オフタイマーを再開するためのＣＥＣコマンドを発行する［４７］。なお、再生が終了するまでの間は、再生状態が引き続きチェックされる［４６］〜［４６−ＮＯ］。
【００５３】
ＣＥＣコマンドを受け取った表示装置１０１のＨＤＭＩ通信部２は、表示装置１０１の制御部１に無操作時電源オフタイマー再開コマンド情報を受け渡す［４８］。
【００５４】
コマンドを受け取った制御部１（表示装置１０１）は、タイマ３を再開し、無操作時電源オフ機能が有効となった状態で動作する［４９］。
【００５５】
この方法によれば、外部機器によりオフされた表示装置の無操作電源オフ機能は、外部機器による映像の再生が終了した時点で、通常通り、オンに設定される。従って、表示装置側では、外部機器により解除された無操作電源オフ機能が、外部機器による再生終了に伴って復帰されるので、操作上の支障、例えば表示装置を単独で用いる際に、無操作電源オフ機能が働かない、等が生じることが防止できる。
【００５６】
図７は、図１および図３に示した画像再生システムにおいて、映像表示装置に接続される映像再生装置が特定の外部機器である場合の例を示す。
【００５７】
図７において、映像表示装置（テレビ受信装置）１０１は、図１に示した例と同様に、制御部１、ＨＤＭＩ通信部２、タイマ３、及び映像出力４ａ，音声出力４ｂを含む。
【００５８】
外部機器３１は、図１に示した例に準じた制御部５、ＨＤＭＩ通信部６、ユーザインタフェース７、及び、例えば市販されているゲームソフト等の再生を行うためのデータ再生装置３８と、表示装置１０１に、無操作電源オフ機能の無操作タイマをクリアするクリアコマンドを定期的に送信するためのタイマ９と、を含む。なお、データ再生装置３８は、メモリ媒体、例えばゲーム作成事業者が規定した規格のＲＯＭカートリッジや光ディスク（ＲＯＭディスク）等の専用ソフトウエアの再生が可能である。
【００５９】
なお、図７に示す画像再生システムにおいては、図４〜図６により説明した各処理が実行可能である。また、図７に示す画像再生システムにおいては、特に、プレイ中においてゲームの進行が中断する、あるいはステージクリアを積み重ねたにも拘わらず、電源がオフしたことにより、次のステージに到達できない、等の問題が生じることのある外部機器３１が表示装置（テレビ装置）１０１に接続されている場合に、有益である。
【００６０】
以上説明したように、この発明の実施形態の１つにおいては、外部機器のユーザインタフェースから外部機器が操作されている（動作している）ことにより、映像表示装置（テレビ受信装置）の無操作時電源オフ用のタイマをリセットするように、ＨＤＭＩ−ＣＥＣコマンドが外部機器から映像表示装置に送信され、映像表示装置が無操作状態を測定するタイマがリセットされる。従って、外部機器のみ操作している状態において映像表示装置の電源が自動的にオフしてしまうことを防ぐことができる。
【００６１】
また、外部機器を、外部機器が動作中（再生中）であることを映像表示装置の無操作時電源オフ機能が働かないようにするＨＤＭＩ−ＣＥＣコマンドを外部機器側から映像表示装置側に送信可能としたことにより、外部機器による再生途中に、映像表示装置が無操作状態と判断されて、電源オフしてしまうことを防ぐことができる。
【００６２】
なお、本発明の内容はここに記述した形態だけに限定されるものではなく、その主旨を逸脱しない範囲で、他にも様々な形態を取り得ることはいうまでもない。また、各実施の形態は、可能な限り適宜組み合わせて、もしくは一部を削除して実施されてもよく、その場合は、組み合わせもしくは削除に起因したさまざまな効果が得られる。
【００６３】
また、上述した実施の形態においては、ＨＤＭＩ−ＣＥＣ（Consumer Electronics Control）コマンドを用いる例を説明したが、ＬＡＮ上に位置され、ＴＣＰ／ＩＰに従いデータの転送が可能な映像表示装置（テレビ装置）と映像再生装置（外部機器）についても、同様である。
【図面の簡単な説明】
【００６４】
【図１】この発明の実施の形態が適用可能な画像再生システム、すなわち映像を表示する映像表示装置（テレビ受信装置）と映像表示装置に映像を入力する映像再生装置（外部機器）を示す概略図。
【図２】図１に示した画像再生システムにおいて、映像が入力されている間は、無操作状態が所定時間継続した場合においても、表示装置側の電源オフ機能が動作することを抑止する方法の一例を示す概略図。
【図３】図１に示した画像再生システムにおいて、映像表示装置に接続される映像再生装置が異なる場合の例を示す概略図。
【図４】図３に示した画像再生システムにおいて、映像が入力されている間は、無操作状態が所定時間継続した場合においても、表示装置側の電源オフ機能が動作することを抑止する方法の一例を示す概略図。
【図５】図４に示した処理方法の別の実施の形態を説明する概略図。
【図６】図４に示した処理方法のさらに別の実施の形態を説明する概略図。
【図７】図１および図３に示した画像再生システムにおいて、映像表示装置に接続される映像再生装置が異なる場合のさらに別の例を示す概略図。
【符号の説明】
【００６５】
１…制御部（表示装置側）、２…ＨＤＭＩ通信部（表示装置側）、３…タイマ（表示装置側）、４ａ…映像出力、４ｂ…音声出力、５…制御部（外部機器側）、６…ＨＤＭＩ通信部（外部機器側）、７…ユーザインタフェース、８…データ再生装置、９…タイマ（外部機器側）、１１，２１，３１…外部機器、３８…データ再生装置、１０１…映像表示装置（テレビ受信装置）。
【図１】
2010087823.tif 000003
【図２】
2010087823.tif 000004
【図３】
2010087823.tif 000005
【図４】
2010087823.tif 000006
【図５】
2010087823.tif 000007
【図６】
2010087823.tif 000008
【図７】
2010087823.tif 000009
【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
接続機器との間で双方向通信を行う通信部と、
操作情報を出力するユーザ指示部と、
前記ユーザ指示部が操作されたことを、報知し、かつ特定の情報をリセットする信号生成部と、
を有することを特徴とする映像再生装置。
【請求項２】
前記ユーザ指示部は、前記通信部を通じた、ＨＤＭＩ−ＣＥＣコマンドにより動作することを特徴とする請求項１記載の映像再生装置。
【請求項３】
前記特定の情報は、前記接続機器の特定機能を実現するために用いることを特徴とする請求項１記載の映像再生装置。
【請求項４】
前記信号生成部が生成するＣＥＣコマンドは、前記接続機器が所定時間無操作である場合を計測するタイマーをリセットあるいはオフすることを特徴とする請求項１記載の映像再生装置。
【請求項５】
接続機器との間で双方向通信を行う通信部と、
操作情報を出力するユーザ指示部と、
前記ユーザ指示部が操作されたことを報知し、特定の情報をリセットする信号生成部と、
接続機器と、
を含む映像再生システム。
【請求項６】
前記信号生成部は、一定期間毎に、計測部をリセットするための信号を生成することを特徴とする請求項５記載の映像再生システム。
【請求項７】
前記信号生成部は、信号が特定のパターンを有する場合、一定期間毎に前記計測部をリセットする信号を生成することを特徴とする請求項６記載の映像再生システム。
【請求項８】
前記信号生成部は、映像再生信号を出力している期間、一定期間毎に前記計測部をリセットための信号を生成することを特徴とする請求項６記載の映像再生システム。
【請求項９】
前記信号生成部は、映像再生信号を出力している期間、一定期間毎に、前記計測部をリセットための信号を生成することを特徴とする請求項７記載の映像再生システム。
【請求項１０】
前記信号生成部は、映像再生信号の供給が開始した場合、前記計測部による計測を停止させるための信号を生成することを特徴とする請求項５記載の映像再生システム。
【請求項１１】
前記信号生成部は、映像再生信号が終了した場合、前記計測部による計測を開始させるための信号を生成することを特徴とする請求項５記載の映像再生システム。
【請求項１２】
接続機器との間で双方向通信を行う通信部と、
指示情報を出力するユーザ指示部と、
データを再生し、再生映像信号を供給するデータ再生部と、
前記データ再生部においてデータが再生されている間、前記通信部を通じて、接続機器の特定機能を実現するために用いる特定の情報をリセットする信号生成部と、
を有することを特徴とする映像再生装置。
【請求項１３】
前記信号生成部は、ＨＤＭＩ−ＣＥＣコマンドを用いてデータ再生部においてデータを再生することを特徴とする請求項１２記載の映像再生装置。
【手続補正２】
【補正対象書類名】明細書
【補正対象項目名】全文
【補正方法】変更
【補正の内容】
【発明の詳細な説明】
【技術分野】
【０００１】
この発明は、映像が入力されている間は、無操作状態が所定時間継続した場合においても映像表示装置の電源オフ機能が動作することを抑止できる映像再生装置および映像再生システムに関する。
【背景技術】
【０００２】
映像やオーディオを再生する映像表示装置、例えばテレビ受信装置においては、無操作状態が一定時間継続した場合に、表示部の電源または装置全体の電源をオフするものが、既に実用化されている。
【０００３】
反面、デジタルビデオレコーダやゲーム機器等である再生装置から映像やオーディオが継続して入力されている状態において映像表示装置の表示部の電源が一定時間でオフすることは、ユーザに不快感を与えることがある。特に、ゲーム機器によるプレイ中においては、ゲームの進行が中断する、あるいはステージクリアを積み重ねたにも拘わらず、電源がオフしたことにより、次のステージに到達できない、等の問題が生じることがある。
【０００４】
特許文献１には、所定時間の間、操作信号の入力がない場合、電源がオフする無操作オフタイマを備えたテレビ受信機に、操作状態を提供可能な映像表示装置および、付属するリモートコントロール装置が開示されている。
【特許文献１】特開２００７−２７９７３号公報
【発明の開示】
【発明が解決しようとする課題】
【０００５】
しかしながら、特許文献１に開示された映像表示装置は、実際には、付属するリモートコントロール装置が操作された際にテレビ受信機に対してもテレビ用操作信号を出力することで、無操作状態を解除するものである。
【０００６】
この発明の目的は、映像が入力されている間は、無操作状態が所定時間継続した場合においても、映像表示装置の電源オフ機能が動作することを抑止できる映像再生装置および映像再生システムを提供することである。
【課題を解決するための手段】
【０００７】
この発明は、上記問題点に基づきなされたもので、接続機器との間で双方向通信を行う通信部と、操作情報を出力するユーザ指示部と、前記ユーザ指示部が操作されたことを、報知し、かつ特定の情報をリセットする信号生成部と、を有することを特徴とする映像再生装置である。
【発明の効果】
【０００８】
この発明によれば、映像が入力されている間は、無操作状態が所定時間継続した場合においても、表示装置（テレビ受信装置）の電源オフ機能が動作することを抑止できる。
【０００９】
これにより、表示装置と接続された外部機器から映像を入力している場合、意図しないタイミングで表示装置の表示部がオフすることにより外部機器からの映像が途切れることがなくなる。
【発明を実施するための最良の形態】
【００１０】
以下、図面を参照して、本発明の実施の形態の一例について説明する。
【００１１】
図１は、この発明の実施の形態が適用される画像再生システム、すなわち映像を表示する映像表示装置（テレビ受信装置）と映像表示装置に映像を入力する映像再生装置（外部機器）の概略を示す。
【００１２】
図１において、接続機器すなわち映像表示装置、例えばテレビ受信装置１０１は、装置全体の制御を行う制御部１、外部機器１１との間で、通信部すなわちＨＤＭＩ（High-Definition Multimedia Interface）接続処理を行うＨＤＭＩ通信部２、無操作時電源オフの無操作時間をカウントするタイマ３、及び映像データを表示する映像出力４ａ、音声データを出力する音声出力４ｂを含む。なお、映像表示装置１０１は、例えばテレビ受信装置を含み、表示部（ディスプレイ）と音声出力部（スピーカ）が一体であるか否かにかかわりなく、入力された映像を表示可能であれば、任意の装置を用いることができる。また、制御部１は、通信部２より、計測部（タイマ）３をリセットするための信号を受け取り、計測部３に命令を発行する。
【００１３】
外部機器１１は、信号生成部すなわち制御部５、通信部すなわち表示装置とのＨＤＭＩ接続処理を行うＨＤＭＩ通信部６、及びユーザ指示部すなわちユーザからの要求、例えば制御情報や任意の数値入力等を受け付けるユーザインタフェース７を含む。前記制御部５は、外部機器１１の全体を制御するとともに、前記通信部６を通じて接続機器（表示装置１０１の通信部２）に供給する信号を生成する。なお、ユーザインタフェース７は、例えば無線方式のリモコン装置（リモートコントロール端末）や、特定のケーブルにより接続されたコントローラ等であってもよい。また、外部機器１１としては、例えばデジタルビデオレコーダや、デジタルビデオカメラ装置あるいはビデオゲーム機器等が含まれる。
【００１４】
また、表示装置１０１のＨＤＭＩ通信部２と外部機器１１のＨＤＭＩ通信部６は、ＨＤＭＩ−ＣＥＣ（Consumer Electronics Control）に準拠した双方向インタフェースである。
【００１５】
図２は、図１に示した画像再生システムにおいて、映像が入力されている間は、無操作状態が所定時間継続した場合においても、表示装置側の電源オフ機能が動作することを抑止する方法の一例を示す。
【００１６】
図２に示すように、ユーザからユーザインタフェース７を通して、ＨＤＭＩ−ＣＥＣ対応の外部機器１１が操作される［１１］。
【００１７】
ユーザインタフェース（ユーザ指示部）７から操作情報を受け取った外部機器１１の制御部（信号生成部）５がＨＤＭＩ通信部（通信部）６に、表示機器への無操作時電源オフ用のタイマ３をクリアするクリアコマンドを発行の指示を行い、ＨＤＭＩ通信部６から表示装置１０１のＨＤＭＩ通信部２へ無操作時電源オフ用タイマ３をクリアするためのＣＥＣコマンドを発行する［１２］。
【００１８】
ＣＥＣコマンドを受け取った映像表示装置１０１のＨＤＭＩ通信部２は、映像表示装置１０１の制御部１に、無操作時電源オフタイマークリアコマンド情報を受け渡す［１３］。
【００１９】
コマンドを受け取った制御部１（表示装置１０１）は、タイマ３の値をクリアし、処理が完了する［１４］。
【００２０】
これにより、外部機器１１のユーザインタフェース（ユーザ指示部）７よりユーザによる外部機器の操作が行われた場合、ＨＤＭＩ−ＣＥＣコマンドを使用し、表示装置１０１の無操作時電源オフ用のタイマ３の値がクリアされる。
【００２１】
従って、外部機器１１使用時に、表示装置１０１において、無操作状態が続いていると判断され、表示装置の電源が不所望なタイミングでオフすることを防止できる。
【００２２】
図３は、図１に示した画像再生システムにおいて、映像表示装置に接続される映像再生装置が異なる場合の例を示す。
【００２３】
図３において、映像表示装置（テレビ受信装置）１０１は、図１に示した例と同様に、制御部１、通信部すなわちＨＤＭＩ通信部２、タイマ３、及び映像出力４ａ，音声出力４ｂを含む。
【００２４】
外部機器２１は、図１に示した例に準じた信号生成部すなわち制御部５、通信部すなわちＨＤＭＩ通信部６、ユーザ指示部すなわちユーザインタフェース７、及び映像や音声の再生を行うためのデータ再生装置８と、定期的にコマンドを送信するためのタイマ９を含む。なお、図３に示すシステムにおいては、外部機器２１において、データ再生装置８の内容を再生している間は、外部機器２１から定期的に、表示装置１０１の無操作時電源オフタイマークリア「ＨＤＭＩ  ＣＥＣコマンド」を発行することを特徴とする。
【００２５】
図４は、図３に示した画像再生システムにおいて、映像が入力されている間は、無操作状態が所定時間継続した場合においても、表示装置側の電源オフ機能が動作することを抑止する方法の一例を示す。
【００２６】
図４に示すように、ユーザからユーザインタフェース（ユーザ指示部）７を通して、ＨＤＭＩ−ＣＥＣ対応の外部機器２１に再生指示が入力される［２１］。
【００２７】
ユーザインタフェース（ユーザ指示部）７から再生情報（再生指示）を受け取った外部機器２１の制御部（信号生成部）５がデータ再生装置８に格納されているデータの再生を開始する［２２］。
【００２８】
ＨＤＭＩ通信部６を通して、映像データと音声データを送信し、あわせて無操作時電源オフタイマーをクリアするためのＣＥＣコマンドを発行する［２３］。
【００２９】
外部機器２１は、表示装置１０１にＣＥＣコマンドを送信後、タイマ９の値をクリアする［２４］。
【００３０】
ＣＥＣコマンドを受け取った表示装置１０１のＨＤＭＩ通信部２は、表示装置の制御部１に、無操作時電源オフタイマークリアコマンド情報を受け渡す［２５］。
【００３１】
コマンドを受け取った制御部１（表示装置１０１）は、タイマ３の値をクリアする［２６］。
【００３２】
以下、表示装置１０１の制御部１は、外部機器２１が再生状態であるかどうかをチェックし［２７］、再生が終了している場合［２７−ＹＥＳ］には、処理を完了し、再生中の場合［２７−ＮＯ］には、引き続くの処理（［２７］）へ移行する。
【００３３】
すなわち、外部機器２１が再生中である場合［２７−ＮＯ］には、タイマ９の値が設定された再送するまでの時間となるまで待機［２８−ＮＯ］し、設定時間を超えた場合［２８−ＹＥＳ］には、無操作時電源オフタイマークリアコマンドを再度発行するため、処理［２３］へ移行する。
【００３４】
なお、処理［２３］〜処理［２７］は、外部機器２１における再生が完了するまで繰り返えされる。
【００３５】
図５は、図３に示した画像再生システムにおいて、映像が入力されている間は、無操作状態が所定時間継続した場合においても、表示装置側の電源オフ機能が動作することを抑止する方法の別の一例を示す。
【００３６】
図５に示すように、ユーザからユーザインタフェース（ユーザ指示部）７を通して、ＨＤＭＩ−ＣＥＣ対応の外部機器２１に再生指示が入力される［３１］。
【００３７】
ユーザインタフェース７から再生情報（再生指示）を受け取った外部機器２１の制御部（信号生成部）５がデータ再生装置８に格納されているデータの再生を開始する［３２］。
【００３８】
ＨＤＭＩ通信部６を通して、映像データと音声データを送信し、あわせて無操作時電源オフタイマーをクリアするためのＣＥＣコマンドを発行する［３３］。
【００３９】
外部機器２１は、表示装置１０１にＣＥＣコマンドを送信後、タイマ９の値をクリアする［３４］。
【００４０】
ＣＥＣコマンドを受け取った表示装置１０１のＨＤＭＩ通信部２は、表示装置の制御部１に、無操作時電源オフタイマークリアコマンド情報を受け渡す［３５］。
【００４１】
コマンドを受け取った制御部１（表示装置１０１）は、タイマ３の値をクリアする［３６］。
【００４２】
以下、表示装置１０１の制御部１は、外部機器２１が再生状態であるかどうか、再生されている場合には、メニュー表示あるいはリピート再生状態であるかどうかをチェックし［３７］、再生が終了している場合、あるいは再生中ではあるがメニュー表示あるいはリピート再生状態である場合［３７−ＮＯ］には、処理を完了し、メニュー表示あるいはリピート再生状態以外の再生中の場合［３７−ＹＥＳ］には、タイマ９の値が設定された再送するまでの時間となるまで待機［３８−ＮＯ］し、設定時間を超えた場合［３８−ＹＥＳ］には、無操作時電源オフタイマークリアコマンドを再度発行するため、処理［３３］へ移行する。
【００４３】
なお、処理［３３］〜処理［３７］は、外部機器２１における再生が完了するまで繰り返えされる。
【００４４】
この方法によれば、外部機器２１から表示装置１０１に映像が入力されている状態において、表示装置１０１の表示部の電源をオフしても差しつかえない状況、例えば既に外部機器２１におけるコンテンツまたは再生データの本編の再生が終了し、メニュー表示の映像が引き続いて再生されているような場合に、表示装置１０１の電源オフ機能の本来の役割を実行可能となる。
【００４５】
なお、外部機器２１から表示装置１０１へ入力されている映像が「メニュー表示」または「リピート再生」であることは、例えば外部機器２１からの映像に付属しているタイムスタンプ（Time Stamp）や、リピート信号（同じヘッダー情報等が繰り返し現れる）により特定可能である。
【００４６】
図６は、図３に示した画像再生システムにおいて、映像が入力されている間は、無操作状態が所定時間継続した場合においても、表示装置側の電源オフ機能が動作することを抑止する方法のさらに別の一例を示す。
【００４７】
図６に示すように、ユーザからユーザインタフェース（ユーザ指示部）７を通して、ＨＤＭＩ−ＣＥＣ対応の外部機器２１に再生指示が入力される［４１］。
【００４８】
ユーザインタフェース７から再生情報（再生指示）を受け取った外部機器２１の制御部（信号生成部）５がデータ再生装置８に格納されているデータの再生を開始する［４２］。
【００４９】
ＨＤＭＩ通信部６を通して、映像データと音声データを送信し、あわせて無操作時電源オフタイマーをクリアするためのＣＥＣコマンドを発行する［４３］。
【００５０】
ＣＥＣコマンドを受け取った表示装置１０１のＨＤＭＩ通信部２は、表示装置の制御部１に、無操作時電源オフタイマークリアコマンド情報を受け渡す［４４］。
【００５１】
コマンドを受け取った制御部１（表示装置１０１）は、タイマ３の値をクリアする［４５］。
【００５２】
以下、表示装置１０１の制御部１は、外部機器２１が再生状態であるかどうかをチェックし［４６］、再生が終了している場合［４６−ＹＥＳ］には、外部機器２１の制御部５は、ＨＤＭＩ通信部６を通して、表示装置１０１の無操作時電源オフタイマーを再開するためのＣＥＣコマンドを発行する［４７］。なお、再生が終了するまでの間は、再生状態が引き続きチェックされる［４６］〜［４６−ＮＯ］。
【００５３】
ＣＥＣコマンドを受け取った表示装置１０１のＨＤＭＩ通信部２は、表示装置１０１の制御部１に無操作時電源オフタイマー再開コマンド情報を受け渡す［４８］。
【００５４】
コマンドを受け取った制御部１（表示装置１０１）は、タイマ３を再開し、無操作時電源オフ機能が有効となった状態で動作する［４９］。
【００５５】
この方法によれば、外部機器によりオフされた表示装置の無操作電源オフ機能は、外部機器による映像の再生が終了した時点で、通常通り、オンに設定される。従って、表示装置側では、外部機器により解除された無操作電源オフ機能が、外部機器による再生終了に伴って復帰されるので、操作上の支障、例えば表示装置を単独で用いる際に、無操作電源オフ機能が働かない、等が生じることが防止できる。
【００５６】
図７は、図１および図３に示した画像再生システムにおいて、映像表示装置に接続される映像再生装置が特定の外部機器である場合の例を示す。
【００５７】
図７において、映像表示装置（テレビ受信装置）１０１は、図１に示した例と同様に、制御部１、ＨＤＭＩ通信部２、タイマ３、及び映像出力４ａ，音声出力４ｂを含む。
【００５８】
外部機器３１は、図１に示した例に準じた信号生成部すなわち制御部５、ＨＤＭＩ通信部６、ユーザ指示部すなわちユーザインタフェース７、及び、例えば市販されているゲームソフト等の再生を行うためのデータ再生装置３８と、表示装置１０１に、無操作電源オフ機能の無操作タイマをクリアするクリアコマンドを定期的に送信するためのタイマ９と、を含む。なお、データ再生装置３８は、メモリ媒体、例えばゲーム作成事業者が規定した規格のＲＯＭカートリッジや光ディスク（ＲＯＭディスク）等の専用ソフトウエアの再生が可能である。
【００５９】
なお、図７に示す画像再生システムにおいては、図４〜図６により説明した各処理が実行可能である。また、図７に示す画像再生システムにおいては、特に、プレイ中においてゲームの進行が中断する、あるいはステージクリアを積み重ねたにも拘わらず、電源がオフしたことにより、次のステージに到達できない、等の問題が生じることのある外部機器３１が表示装置（テレビ装置）１０１に接続されている場合に、有益である。
【００６０】
以上説明したように、この発明の実施形態の１つにおいては、外部機器のユーザインタフェースから外部機器が操作されている（動作している）ことにより、映像表示装置（テレビ受信装置）の無操作時電源オフ用のタイマをリセットするように、ＨＤＭＩ−ＣＥＣコマンドが外部機器から映像表示装置に送信され、映像表示装置が無操作状態を測定するタイマがリセットされる。従って、外部機器のみ操作している状態において映像表示装置の電源が自動的にオフしてしまうことを防ぐことができる。
【００６１】
また、外部機器を、外部機器が動作中（再生中）であることを映像表示装置の無操作時電源オフ機能が働かないようにするＨＤＭＩ−ＣＥＣコマンドを外部機器側から映像表示装置側に送信可能としたことにより、外部機器による再生途中に、映像表示装置が無操作状態と判断されて、電源オフしてしまうことを防ぐことができる。
【００６２】
なお、本発明の内容はここに記述した形態だけに限定されるものではなく、その主旨を逸脱しない範囲で、他にも様々な形態を取り得ることはいうまでもない。また、各実施の形態は、可能な限り適宜組み合わせて、もしくは一部を削除して実施されてもよく、その場合は、組み合わせもしくは削除に起因したさまざまな効果が得られる。
【００６３】
また、上述した実施の形態においては、ＨＤＭＩ−ＣＥＣ（Consumer Electronics Control）コマンドを用いる例を説明したが、ＬＡＮ上に位置され、ＴＣＰ／ＩＰに従いデータの転送が可能な映像表示装置（テレビ装置）と映像再生装置（外部機器）についても、同様である。
【図面の簡単な説明】
【００６４】
【図１】この発明の実施の形態が適用可能な画像再生システム、すなわち映像を表示する映像表示装置（テレビ受信装置）と映像表示装置に映像を入力する映像再生装置（外部機器）を示す概略図。
【図２】図１に示した画像再生システムにおいて、映像が入力されている間は、無操作状態が所定時間継続した場合においても、表示装置側の電源オフ機能が動作することを抑止する方法の一例を示す概略図。
【図３】図１に示した画像再生システムにおいて、映像表示装置に接続される映像再生装置が異なる場合の例を示す概略図。
【図４】図３に示した画像再生システムにおいて、映像が入力されている間は、無操作状態が所定時間継続した場合においても、表示装置側の電源オフ機能が動作することを抑止する方法の一例を示す概略図。
【図５】図４に示した処理方法の別の実施の形態を説明する概略図。
【図６】図４に示した処理方法のさらに別の実施の形態を説明する概略図。
【図７】図１および図３に示した画像再生システムにおいて、映像表示装置に接続される映像再生装置が異なる場合のさらに別の例を示す概略図。
【符号の説明】
【００６５】
１…制御部（表示装置側）、２…ＨＤＭＩ通信部（表示装置側）、３…タイマ（表示装置側）、４ａ…映像出力、４ｂ…音声出力、５…制御部（外部機器側）、６…ＨＤＭＩ通信部（外部機器側）、７…ユーザインタフェース、８…データ再生装置、９…タイマ（外部機器側）、１１，２１，３１…外部機器、３８…データ再生装置、１０１…映像表示装置（テレビ受信装置）。